(57)【要約】【課題】  光電変換素子により得られた画像データを用いた色変換処理における色変換精度を向上させること。【解決手段】計算機は、注目格子点に対応する均等色彩値ＲLabを中心とする所定範囲の色相域を所定領域ＲＡとする。計算機は、所定領域ＲＡに含まれる色相を備えるカラーパッチＣiiに対応するＲＧＢCCD色彩値とＸＹＺ色彩値の組合せを用いて、個別変換マトリクスＰｒのマトリクス係数を算出する。計算機は、算出した個別変換マトリクスＰｒを用いて、注目格子点ＲCCDに対応する、個別中間色彩値ＲLUTの値を算出する。全ての注目格子点について個別中間色彩値が求められると、計算機は、所定の変換マトリクスを用いて個別中間色彩値を目標色彩値に変換する。各注目格子点の色彩値と対応する目標色彩値とを対応付けて、ＣＣＤのＲＧＢ色空間から所望のＲＧＢ色空間への色変換テーブルが完成する。【選択図】  図６
2006222783.tif 000002
【特許請求の範囲】
【請求項１】
原色色空間における原色色彩値から目標色空間における目標色彩値に変換するために参照される色変換テーブルの作成方法であって、
複数のカラーパッチの中から、原色色空間における注目格子点の近傍の所定の領域に含まれる複数のカラーパッチを選択し、
前記選択された複数のカラーパッチについて、光電変換素子を用いて撮像して前記原色色空間における原色色彩値をそれぞれ取得し、
前記選択された複数のカラーパッチを測色して中間色空間における中間色彩値をそれぞれ取得し、
前記注目格子点について、前記選択された複数のカラーパッチにおける各カラーパッチから取得された前記原色色彩値と前記中間色彩値との組合せを用いて前記原色色空間から中間色空間への個別変換マトリクス係数を求め、
上記処理を繰り返して複数の注目格子点に対応する前記個別変換マトリクス係数をそれぞれ求め、
前記求められた複数の個別変換マトリクス係数を用いて各前記注目格子点に対応する個別中間色彩値をそれぞれ算出し、
前記算出された前記個別中間色彩値に対応する目標色空間における目標色彩値をそれぞれ求め、
前記各注目格子点と前記各目標色彩値とを対応付けて、前記原色色空間から前記目標色空間への色変換テーブルを生成する色変換テーブルの作成方法。
【請求項２】
請求項１に記載の色変換テーブルの作成方法において、
前記所定の領域は、明度、色相、彩度の少なくともいずれかの基準値によって規定された前記注目格子点近傍の領域である色変換テーブルの作成方法。
【請求項３】
請求項２に記載の色変換テーブルの作成方法において、
前記各注目格子点についてそれぞれ選択される複数のカラーパッチは、少なくとも一部の注目格子点において、その注目格子点について選択される複数のカラーパッチと他の注目格子点について選択される複数のカラーパッチとの間で一部重複している色変換テーブルの作成方法。
【請求項４】
請求項１に記載の色変換テーブルの作成方法において、
前記複数のカラーパッチの選択は、
前記原色色空間における各注目格子点に対応する、均等色空間における均等色彩値を  それぞれ算出し  、
前記算出された各均等色彩値の近傍の所定の範囲の明度領域、色相領域、彩度領域の  少なくともいずれかの領域に含まれるカラーパッチを選択することによって実行される色変換テーブルの作成方法。
【請求項５】
請求項４に記載の色変換テーブルの作成方法において、
前記複数の均等色彩値の算出は、
前記複数のカラーパッチについて、光電変換素子を用いて前記原色色空間における原  色色彩値をそれぞれ取得し、
前記複数のカラーパッチを測色して中間色空間における中間色彩値をそれぞれ取得し  、
前記カラーパッチの全てについて、同一の前記カラーパッチから取得された前記第１  の色彩値と前記中間色彩値との組合せを用いて前記原色色空間から中間色空間への全体  変換マトリクス係数を求め、
前記求めた全体変換マトリクス係数を用いて前記注目格子点を前記中間色空間におけ  る中間色彩値に変換し、
前記中間色色彩値を前記均等色空間における前記均等色彩値に変換することにより実行される色変換テーブルの作成方法。
【請求項６】
原色色空間における原色色彩値から目標色空間における目標色彩値に変換するために参照される色変換テーブルの作成方法であって、
複数のカラーパッチについて光電変換素子を用いて原色色空間における原色色彩値をそれぞれ取得し、
前記複数のカラーパッチについて測色によって中間色空間における中間色彩値をそれぞれ取得し、
前記複数のカラーパッチにおける同一のカラーパッチから取得された前記原色色彩値と前記中間色彩値とをそれぞれ対応付け、
前記対応付けられた原色色彩値と中間色彩値との複数の組合せを用いて前記原色色空間から中間色空間への全体変換マトリクス係数を求め、
前記全体変換マトリクス係数を用いて、前記原色色空間における複数の注目格子点にそれぞれ対応する前記中間色空間における複数の中間色彩値を算出し、
前記複数の中間色彩値を均等色空間における均等色彩値にそれぞれ変換し、
前記複数のカラーパッチの中から、前記各均等色彩値近傍の所定の領域に含まれる複数のカラーパッチを前記各均等色彩値についてそれぞれ選択し、
前記各注目格子点毎に、前記選択された複数のカラーパッチの各カラーパッチに対応する前記原色色彩値と前記中間色彩値との組合せを用いて前記原色色空間から中間色空間への個別変換マトリクス係数をそれぞれ求め、
前記求められた各個別変換マトリクス係数を用いて前記各注目格子点に対応する個別中間色彩値をそれぞれ算出し、
前記算出された各個別中間色彩値に対応する目標色空間における目標色彩値をそれぞれ求め、
前記各注目格子点と前記各目標色彩値とを対応付けて、前記原色色空間から前記目標色空間への色変換テーブルを生成する色変換テーブルの作成方法。
【請求項７】
原色色空間における原色色彩値から目標色空間における目標色彩値に変換するために参照される色変換テーブルを構築するためのプログラムであって、
原色色空間における注目格子点の入力を受け取る機能と、
複数のカラーパッチの中から、前記注目格子点近傍の所定の領域に含まれる複数のカラーパッチを前記注目格子点について選択する機能と、
光電変換素子を用いて、前記選択された複数のカラーパッチをそれぞれ撮像して得られた前記原色色空間における複数の原色色彩値を取得する機能と、
前記選択された複数のカラーパッチをそれぞれ測色して得られた中間色空間における複数の中間色彩値を取得する機能と、
前記注目格子点について、前記選択された複数のカラーパッチについて各前記カラーパッチについて得られた前記原色色彩値と前記中間色彩値との組合せを用いて前記原色色空間から中間色空間への個別変換マトリクス係数を求める機能と、
複数の注目格子点について上記処理を繰り返して実行し、前記複数の注目格子点にについて前記個別変換マトリクス係数をそれぞれ取得する機能と、
前記求められた各個別変換マトリクス係数を用いて前記複数の注目格子点に対応する、前記中間色空間における複数の個別中間色彩値をそれぞれ算出する機能と、
前記算出された複数の個別中間色彩値に対応する目標色空間における複数の目標色彩値をそれぞれ求める機能と、
入力された全ての前記注目格子点と求められた全ての前記目標色彩値とを対応付けて、前記原色色空間から前記目標色空間への色変換テーブルを生成する機能とをコンピュータによって実現させる色変換テーブルを構築するためのプログラム。
【請求項８】
請求項７に記載の色変換テーブルを構築するためのプログラムにおいて、
前記所定の領域は、明度、色相、彩度の少なくともいずれかの基準値によって規定された前記注目格子点の近傍領域である色変換テーブルの作成方法。
【請求項９】
画像データを生成する画像データ生成装置であって、
光の情報を電気の情報に変換する光電変換素子と、
原色色空間における注目格子点の入力を受け取る入力部と、
複数のカラーパッチの中から、前記注目格子点近傍の所定の領域に含まれる複数のカラーパッチを選択する選択部と、
前記選択された複数のカラーパッチについて、前記光電変換素子を用いて前記原色色空間における原色色彩値をそれぞれ取得する原色色彩値取得部と、
前記選択された複数のカラーパッチをそれぞれ測色して得られた中間色空間における複数の中間色彩値を取得する中間色彩値取得部と、
前記注目格子点について、前記選択された複数のカラーパッチにおける各カラーパッチから取得された前記原色色彩値と前記中間色彩値との組合せを用いて前記原色色空間から中間色空間への個別変換マトリクス係数を求める個別変換マトリクス係数算出部と、
前記求められた複数の個別変換マトリクス係数を用いて各前記注目格子点に対応する前記中間色空間における各個別中間色彩値をそれぞれ算出する個別中間色彩値算出部と、
前記算出された各個別中間色彩値に対応する目標色空間における目標色彩値をそれぞれ求め、前記各注目格子点と前記各目標色彩値とを対応付けて、前記原色色空間から前記目標色空間への色変換テーブルを生成する色変換テーブル生成部とを備える画像データ生成装置。
【請求項１０】
画像データを生成する画像データ生成装置であって、
光情報を電気情報に変換する光電変換素子と、
前記光電変換素子によって得られた電気情報を用いて原色色空間の画像データを生成する画像データ生成部と、
請求項１ないし請求項６のいずれかに記載の色変換テーブルの作成方法により生成された色変換テーブルを用いて、前記生成された画像データを目標色空間の画像データへと変換する色変換部と、
を備える画像データ生成装置。
【発明の詳細な説明】
【技術分野】
【０００１】
本発明は、一の色空間から他の色空間へと色空間を変換する際に用いられる色変換テーブルの作成技術に関する。
【背景技術】
【０００２】
従来より撮像素子を用いた入力機器における色空間の変換技術が種々、提案されている。例えば、マトリクス変換による色変換では、カラーチャートから得られた一の色空間における色彩値と他の色空間における色彩値とを用いて、例えば、最小二乗法によって色変換マトリクス係数が求められてきた。
【０００３】
【特許文献１】特開平１０−８４５５０号公報
【特許文献２】特開２０００−１８８６９５号公報
【発明の開示】
【発明が解決しようとする課題】
【０００４】
しかしながら、近年、普及してきたディジタルスチルカメラ（ＤＳＣ）では、撮像素子として光電変換素子、例えば、ＣＣＤ（Charge Coupled Device）、ＣＭＯＳ（Complementary Metal-Oxide Semiconductor）が用いられている。これら撮像素子は、例えば、Ｒ、Ｇ、Ｂの原色カラーフィルターと共に用いられることによって、光の情報をＲＧＢ信号に変換して出力する。これら撮像素子の分光感度特性は通常、人間の分光感度特性に対して完全な線形変換になっていないため（ルータ条件が満たされていないとも言う）、一の色空間における全ての色彩値に対して、１組のマトリクス係数のみを用いた線形的な色変換処理では、十分な色変換精度を得ることができないという問題がある。すなわち、被写体を肉眼で観察した場合の色彩と、ＤＳＣによって撮像された被写体を印刷または表示ディスプレイに表示した際の色彩とが色によっては一致しないという問題がある。
【０００５】
なお、この問題は、ＤＳＣに限らず、ＣＣＤを撮像素子として用いるディジタルビデオカメラ（ＤＶＣ）、スキャナにおいても生じる同一の問題である。
【０００６】
本発明は、上記問題を解決するためになされたものであり、光電変換素子により得られた画像データを用いた色変換処理における色変換精度を向上させることを目的とする。
【課題を解決するための手段】
【０００７】
上記課題を解決するために本発明の第１の態様は、原色色空間における原色色彩値から目標色空間における目標色彩値に変換するために参照される色変換テーブルの作成方法を提供する。本発明の第１の態様に係る色変換テーブルの作成方法は、複数のカラーパッチの中から、原色色空間における色変換テーブルの注目格子点の近傍の所定の領域に含まれる複数のカラーパッチを選択し、前記選択された複数のカラーパッチについて、光電変換素子を用いて撮像して、前記原色色空間における原色色彩値をそれぞれ取得し、前記選択された複数のカラーパッチを測色して中間色空間における中間色彩値をそれぞれ取得し、前記注目格子点について、前記選択された複数のカラーパッチにおける各カラーパッチから取得された前記原色色彩値と前記中間色彩値との組合せを用いて前記原色色空間から中間色空間への個別変換マトリクス係数を求め、上記処理を繰り返して複数の注目格子点についてそれぞれ前記個別変換マトリクス係数を求め、前記求められた複数の個別変換マトリクス係数を用いて各前記注目格子点に対応する個別中間色彩値をそれぞれ算出し、前記算出された各個別中間色彩値に対応する目標色空間における目標色彩値をそれぞれ求め、前記各注目格子点と前記各目標色彩値とを対応付けて、前記原色色空間から前記目標色空間への色変換テーブルを生成することを特徴とする。
【０００８】
本発明の第１の態様に係る色変換テーブルの作成方法によれば、複数のカラーパッチの中から、注目格子点を中心とする所定の領域に含まれる複数のカラーパッチを選択し、注目格子点について、選択された複数のカラーパッチにおける各カラーパッチから取得された原色色彩値と中間色彩値との組合せを用いて原色色空間から中間色空間への個別変換マトリクス係数を求める。また、複数の注目格子点についてそれぞれ個別変換マトリクス係数を求め、求められた複数の個別変換マトリクス係数を用いて各注目格子点に対応する各個別中間色彩値をそれぞれ算出し、算出された各個別中間色彩値に対応する目標色空間における目標色彩値をそれぞれ求めて、各注目格子点と各目標色彩値とを対応付けて、原色色空間から目標色空間への色変換テーブルを生成するので、光電変換素子により得られた画像データを用いた色変換処理における色変換精度を向上させることができる。
【０００９】
本発明の第１の態様に係る色変換テーブルの作成方法において、前記所定の領域は、明度、色相、彩度の少なくともいずれかの基準値によって規定された前記注目格子点近傍の領域であっても良い。色の三属性に従って所定の領域を決定することによって、一般的な基準に従って個別変換マトリクスを得ることが可能となり、変換精度の高い色変換テーブルを得ることができる。
【００１０】
本発明の第１の態様に係る色変換テーブルの作成方法において、前記各注目格子点についてそれぞれ選択される複数のカラーパッチは、少なくとも一部の注目格子点において、その注目格子点について選択される複数のカラーパッチと他の注目格子点について選択される複数のカラーパッチとの間で一部重複していても良い。一の注目格子点と他の注目格子点に対して用いられるカラーパッチを重複させることによって、一の注目格子点と他の注目格子点との間における色彩値の相違を抑制または防止することができる。
【００１１】
本発明の第１の態様に係るの色変換テーブルの作成方法において、
前記複数のカラーパッチの選択は、
前記原色色空間における各注目格子点に対応する、均等色空間における均等色彩値をそれぞれ算出し、前記算出された各均等色彩値近傍の所定の範囲の明度領域、色相領域、彩度領域の少なくともいずれかの領域に含まれるカラーパッチを選択することによって実行されても良い。この構成を備えることによって、注目格子点を中心とする所定の範囲の明度、色相、彩度領域を容易に把握することができる。
【００１２】
本発明の第１の態様に係る色変換テーブルの作成方法において、
前記複数の均等色彩値の算出は、
前記複数のカラーパッチについて、光電変換素子を用いて前記原色色空間における原色色彩値をそれぞれ取得し、前記複数のカラーパッチを測色して中間色空間における中間色彩値をそれぞれ取得し、前記カラーパッチの全てについて、同一の前記カラーパッチから取得された前記第１の色彩値と前記中間色彩値との組合せを用いて前記原色色空間から中間色空間への全体変換マトリクス係数を求め、前記求めた全体変換マトリクス係数を用いて前記注目格子点を前記中間色彩値に変換し、前記中間色彩値を前記均等色空間における前記均等色彩値に変換することにより実行されても良い。用いられる光電変換素子に合わせて、原色色空間から中間色空間への色変換に用いられる全体変換マトリクスを作成することができるので、規定の色変換マトリクスを用いる場合と比較して色変換精度をさらに向上させることができる。
【００１３】
本発明の第２の態様は、原色色空間における原色色彩値から目標色空間における目標色彩値に変換するために参照される色変換テーブルの作成方法を提供する。本発明の第２の態様に係る色変換テーブルの作成方法は、複数のカラーパッチについて光電変換素子を用いて原色色空間における原色色彩値をそれぞれ取得し、前記複数のカラーパッチについて測色によって中間色空間における中間色彩値をそれぞれ取得し、前記複数のカラーパッチにおける同一のカラーパッチから取得された前記原色色彩値と前記中間色彩値とをそれぞれ対応付け、前記対応付けられた原色色彩値と中間色彩値との複数の組合せを用いて前記原色色空間から中間色空間への全体変換マトリクス係数を求め、前記全体変換マトリクス係数を用いて、前記原色色空間における複数の注目格子点にそれぞれ対応する前記中間色空間における複数の中間色彩値を算出し、前記複数の中間色色彩値を均等色空間における均等色彩値にそれぞれ変換し、前記複数のカラーパッチの中から、前記各均等色彩値の近傍の所定の領域に含まれる複数のカラーパッチを前記各均等色彩値についてそれぞれ選択し、前記各注目格子点毎に、前記選択された複数のカラーパッチの各カラーパッチに対応する前記原色色彩値と前記中間色彩値との組合せを用いて前記原色色空間から中間色空間への個別変換マトリクス係数をそれぞれ求め、前記求められた各個別変換マトリクス係数を用いて前記各注目格子点に対応する個別中間色彩値をそれぞれ算出し、前記算出された各個別中間色彩値に対応する目標色空間における目標色彩値をそれぞれ求め、前記各注目格子点と前記各目標色彩値とを対応付けて、前記原色色空間から前記目標色空間への色変換テーブルを生成することを特徴とする。
【００１４】
本発明の第２の態様に係る色変換テーブルを作成方法によれば、本発明の第１の態様に係る色変換テーブルの作成方法と同様の作用効果を得ることができると共に、本発明の第２の態様に係る色変換テーブルの作成方法は、本発明の第１の態様に係る色変換テーブルの作成方法と同様にして種々の態様にて実現され得る。
【００１５】
本発明の第３の態様は、原色色空間における原色色彩値から目標色空間における目標色彩値に変換するために参照される色変換テーブルを構築するためのプログラムを提供する。本発明の第３の態様に係る色変換テーブルを構築するためのプログラムは、原色色空間における注目格子点の入力を受け取る機能と、複数のカラーパッチの中から、前記注目格子点の近傍の所定の領域に含まれる複数のカラーパッチを前記注目格子点について選択する機能と、光電変換素子を用いて、前記選択された複数のカラーパッチをそれぞれ撮像して得られた前記原色色空間における複数の原色色彩値を取得する機能と、前記選択された複数のカラーパッチをそれぞれ測色して得られた中間色空間における複数の中間色彩値を取得する機能と、前記注目格子点について、前記選択された複数のカラーパッチについて各前記カラーパッチについて得られた前記原色色彩値と前記中間色彩値との組合せを用いて前記原色色空間から中間色空間への個別変換マトリクス係数を求める機能と、複数の注目格子点について上記処理を繰り返して実行し、前記複数の注目格子点について前記個別変換マトリクス係数をそれぞれ取得する機能と、前記求められた各個別変換マトリクス係数を用いて前記複数の注目格子点に対応する複数の個別中間色彩値をそれぞれ算出する機能と、前記算出された複数の個別中間色彩値に対応する目標色空間における複数の目標色彩値をそれぞれ求める機能と、入力された全ての前記注目格子点と求められた全ての前記目標色彩値とを対応付けて、前記原色色空間から前記目標色空間への色変換テーブルを生成する機能とをコンピュータによって実現させることを特徴とする。
【００１６】
本発明の第３の態様に係る色変換テーブルを構築するためのプログラムによれば、本発明の第１の態様に係る色変換テーブルの作成方法と同様の作用効果を得ることができると共に、本発明の第３の態様に係る色変換テーブルを構築するためのプログラムは、本発明の第１の態様に係る色変換テーブルの作成方法と同様にして種々の態様にて実現され得る。
【００１７】
本発明の第４の態様は、画像データを生成する画像データ生成装置を提供する。本発明の第４の態様に係る画像データ生成装置は、光の情報を電気の情報に変換する光電変換素子と、原色色空間における注目格子点の入力を受け取る入力部と、複数のカラーパッチの中から、前記注目格子点を中心とする所定の領域に含まれる複数のカラーパッチを選択する選択部と、前記選択された複数のカラーパッチについて、前記光電変換素子を用いて前記原色色空間における原色色彩値をそれぞれ取得する原色色彩値取得部と、前記選択された複数のカラーパッチをそれぞれ測色して得られた中間色空間における複数の中間色彩値を取得する中間色彩値取得部と、前記注目格子点について、前記選択された複数のカラーパッチにおける各カラーパッチから取得された前記原色色彩値と前記中間色彩値との組合せを用いて前記原色色空間から中間色空間への個別変換マトリクス係数を求める個別変換マトリクス係数算出部と、前記求められた複数の個別変換マトリクス係数を用いて各前記注目格子点に対応する前記個別中間色彩値をそれぞれ算出する個別中間色彩値算出部と、前記算出された各個別中間色彩値に対応する目標色空間における目標色彩値をそれぞれ求め、前記各注目格子点と前記各目標色彩値とを対応付けて、前記原色色空間から前記目標色空間への色変換テーブルを生成する色変換テーブル生成部とを備えることを特徴とする。
【００１８】
本発明の第４の態様に係る画像データ生成装置によれば、本発明の第１の態様に係る色変換テーブルの作成方法と同様の作用効果を得ることができると共に、本発明の第４の態様に係る画像データ生成装置は、本発明の第１の態様に係る色変換テーブルの作成方法と同様にして種々の態様にて実現され得る。
【００１９】
本発明の第５の態様は、画像データを生成する画像データ生成装置を提供する。本発明の第５の態様に係る画像データ生成装置は、光情報を電気情報に変換する光電変換素子と、前記光電変換素子によって得られた電気情報を用いて原色色空間の画像データを生成する画像データ生成部と、本発明の第１または第２の態様に係る色変換テーブルの作成方法により生成された色変換テーブルを用いて、前記生成された画像データを目標色空間の画像データへと変換する色変換部と備えることを特徴とする。
【００２０】
本発明の第５の態様に係る画像データ生成装置によれば、光電変換素子によって得られた画像データに対して、人間の分光感度特性に対して線形性を有する色変換処理を実行することができるので、肉眼で観察したときの色彩とほぼ同一または近似する色彩値を備える画像データを生成することができる。
【発明を実施するための最良の形態】
【００２１】
以下、本発明に係る色変換テーブルの作成方法について図面を参照しつつ、実施例に基づいて説明する。
【００２２】
Ａ．カラーパッチを用いたＲＧＢデータおよびＸＹＺデータの取得：
本実施例において用いられるＲＧＢデータ（ＲＧＢCCD色彩値）およびＸＹＺデータ（測色色彩値）の取得について図１および図２を参照して説明する。図１は本実施例において用いられ得るカラーチャートを模式的に示す説明図である。図２はカラーチャートの各カラーパッチからＲＧＢCCD色彩値および測色色彩値を取得する手法の一例を示す模式図である。図３は各カラーパッチについて取得されたＲＧＢCCD色彩値および測色色彩値との対応関係を示すテーブルの一例を示す説明図である。
【００２３】
本実施例においては、カラーフィルタを備える光電変換素子、例えば、ＣＣＤ、ＣＭＯＳによって得られたカラーチャートの色彩値（ＲＧＢCCD）と測色器を用いて得られたカラーチャートの色彩値（測色値）とを用いて、人間の分光感度特性に対して線形的な色変換処理を可能とする色変換テーブルを作成する。カラーチャート１０は図１に示すように複数のカラーパッチを備えており、各カラーパッチＣiはそれぞれ異なる色彩値を表している。ディジタルスチルカメラ（ＤＳＣ）に適したカラーチャートとしては、例えば、２３７色のカラーパッチを備えるマクベス（Macbeth）社のColorchartDCがある。
【００２４】
図２に示すように、ＤＳＣ２０を用いて、このカラーチャート１０を、所定の光源下、例えば、５５００Ｋ、で撮影する。撮影して得られた画像データから各パッチについてのＲＧＢCCD色彩値を得ることができる。すなわち、（r0, g0, b0）、（r1, g1, b1）...（ri, gi, bi）...（r236, g236, b236）といった２３７のＲＧＢCCD色彩値を得ることができる。
【００２５】
次に、分光測色器３０を用いて、同一の光源下において、カラーチャート１０の測定を行い、各カラーパッチについて分光反射率を得る。分光測色器３０は、得られた各カラーパッチの分光反射率に対して光源の分光分布およびＸＹＺ表色系の等色関数ｘ（λ）、ｙ（λ）、ｚ（λ）（すなわち、人間の目に対応する分光感度）を掛け合わせて測色値として３刺激値（Ｘ，Ｙ，Ｚ）を得る。すなわち、（x0, y0, z0）、（x1, y1, z1）...（xi, yi, zi）...（x236, y236, z236）といった２３７の測色色彩値を得ることができる。なお、本実施例では、ＸＹＺの３刺激値を直接出力可能な分光測色器３０を例に取って説明したが、各カラーパッチの分光反射率を出力する分光測色器が用いられても良い。この場合には、上述の計算をユーザが実行することによってＸＹＺの３刺激値を得ることができる。
【００２６】
これらＲＧＢCCD色彩値および測色色彩値は、図３に示すように、各カラーパッチ毎にＲＧＢCCD色彩値と測色色彩値とが組み合わされて、実測テーブルＴ１として保存される。図３に示す実測テーブルＴ１では、カラーチャート１０上における各カラーパッチＣiについて、各カラーパッチＣiを示すパッチ番号と、同一のカラーパッチＣiから取得されたＲＧＢCCD色彩値とＸＹＺ色彩値（測色色彩値）とが対応付けられている。
【００２７】
Ｂ．色変換テーブルの生成処理：
図４〜図１０を参照して本実施例に係る色変換テーブルの作成処理について説明する。図４は本実施例に係る色変換テーブルの作成処理において実行される処理ルーチンを示すフローチャートである。図５は本実施例における、ＲＧＢCCD色空間の各注目格子点からＸＹＺ色空間の各中間色彩値への色変換処理を模式的に示す説明図である。図６はＬａ*ｂ*色空間における均等色彩値の色相の分布を示す説明図である。図７はＲＧＢCCD色空間の各注目格子点の色彩値とＸＹＺ色空間の各個別中間色彩値とを対応付けるテーブルを示す説明図である。図８は本実施例における、ＸＹＺ色空間の各個別中間色彩値からＲＧＢTarget色空間の各目標色彩値への色変換処理を模式的に示す説明図である。図９はＸＹＺ色空間の各個別中間色彩値とＲＧＢTarget色空間の各目標色彩値とを対応付けるテーブルを示す説明図である。図１０はＲＧＢCCD色空間の各注目格子点の色彩値とＲＧＢTarget色空間の各目標色彩値とを対応付けるテーブルを示す説明図である。
【００２８】
図４に示す各ステップは、例えば、色変換テーブルを作成するために用いられる計算機によって実行されるステップである。計算機は演算処理装置（ＣＰＵ）、記憶装置（ＲＡＭ、ＲＯＭ、ＨＤＤ）、入出力インターフェースを備えている。記憶装置には、上述の実測テーブルＴ１が予め格納されている。
【００２９】
計算機は、ＲＧＢCCD色空間からＸＹＺ色空間への全体変換マトリクスＭｇのマトリクス係数を算出するために、ＤＳＣ２０によって取得された全てのカラーパッチＣiの撮像色彩値（ＲＧＢCCD色彩値）を取得し（ステップＳ１００）、さらに、分光測色器３０によって得られた全てのカラーパッチＣiの側色色彩値（ＸＹＺ色彩値）を取得する（ステップＳ１０２）。なお、本実施例では、記憶装置にＲＧＢCCD色彩値とＸＹＺ色彩値とを関連付ける実測テーブルＴ１が格納されているので、これらの色彩値を用いることができる。
【００３０】
計算機は実測テーブルＴ１に含まれている２３７個のＲＧＢCCD色彩値とＸＹＺ色彩値の組合せを用いて全体変換マトリクスＭｇのマトリクス係数を算出する（ステップＳ１０４）。具体的には、例えば、下記の式（１）を用いて最小二乗法によって全体変換マトリクスＭｇの係数、ｐ１１、ｐ１２、ｐ１３、ｐ２１、ｐ２２、ｐ２３、ｐ３１、ｐ３２およびｐ３３を求める。
【００３１】
【数１】
2006222783.tif 000003
【００３２】
全体変換マトリクスＭｇは、図５に示すように、ＲＧＢCCD色空間（原色色空間）全体をＸＹＺ色空間（中間色空間）へと一様に色変換するための色変換マトリクスである。
【００３３】
計算機はＲＧＢCCD色空間における注目格子点を１つ決定する。ここで、格子点とは、例えば、ＲＧＢ色空間であればＲ、Ｇ、Ｂ成分をそれぞれ座標軸とした場合のＲ、Ｇ、Ｂ成分によって特定される座標（色彩値）を意味する。例えば、階調が８ビットで表される色空間においては、図５に示すように、赤（Ｒ）、青（Ｂ）、緑（Ｇ）といった色彩を示す色彩値［（２５５，０，０）、（０，０，２５５）、（０，２５５，０）］を取る座標が格子点となる。本実施例では、２×２×２＝８個の格子点、Ｒ（赤）（２５５，０，０）、Ｇ（緑）（０，２５５，０）、Ｂ（青）（０，０，２５５）、Ｃ（シアン）（０，２５５，２５５）、Ｍ（マゼンタ）（２５５，０，２５５）、Ｙ（黄）（２５５，２５５，０）、Ｗ（白）（０，０，０）およびＫ（黒）（２５５，２５５，２５５）、を用いて色変換テーブルの作成処理が実行される。なお、注目格子点とはＲＧＢCCD色空間における各格子点を意味し、中間色彩値とは全体変換マトリクスＭｇを用いて変換されたＸＹＺ色空間において注目格子点に対応する各格子点の色彩値を意味する。
【００３４】
以下の例では、注目格子点として、ＲCCD（２５５，０，０）を用いて説明する。計算機は全体変換マトリクスＭｇを用いて、中間色彩値ＲXYZを算出する（ステップＳ１０８）。すなわち、注目格子点ＲCCD（２５５，０，０）に対応するＸＹＺ値を求める。計算機は、算出した中間色彩値ＲXYZから均等色彩値を算出して、均等色彩値の近傍の所定領域を決定する（ステップＳ１１０）。本実施例では、注目格子点を中心とする所定領域を決定するにあたり、所定領域の決定を容易にするために、色相、明度、彩度をパラメータとして備える均等色空間を用いる。すなわち、注目格子点を均等色空間における均等色彩値に変換し、均等色彩値を中心とする、あるいは均等色彩値近傍の所定範囲の色相域を所定領域とする。所定領域としては、この他にも、均等色彩値を中心とする所定範囲の明度域、彩度域が所定領域として用いられても良く、あるいは、色相、明度、彩度を適宜組み合わせた所定範囲を所定領域としても良い。
【００３５】
所定領域の決定に当たって、計算機は均等色彩値ＲLabの色相角を求める。具体的には、計算機はＸＹＺ色空間の中間色彩値ＲXYZを均等色空間、例えば、Ｌ*ａ*ｂ*色空間における均等色彩値ＲLabに変換して、Ｌ*値、ａ*値、ｂ*値をそれぞれ求める。ＸＹＺ色空間からＬ*ａ*ｂ*色空間への色変換は以下の周知の式（２）〜（４）によって実行される。
【００３６】
Ｌ*＝１１６(Ｙ/Ｙn)1/3−１６        式（２）
ａ*＝５００{(Ｘ/Ｘn)1/3−Ｙ/Ｙn)1/3}  式（３）
ｂ*＝２００{(Ｙ/Ｙn)1/3−Ｚ/Ｚn)1/3}  式（４）
ここで、Ｘn、Ｙn、Ｚnは完全拡散反射面の三刺激値であり、Ｙn＝１００と規格化する。なお、Ｘ/Ｘn≦０．００８８５６、Ｙ/Ｙn≦０．００８８５６、Ｚ/Ｚn≦０．００８８５６の場合には修正式が用いられる。
【００３７】
計算機は算出したａ*値、ｂ*値を用いて、ａ*ｂ*平面における色相角θｒを下記の式（５）から算出する。
【００３８】
【数２】
2006222783.tif 000004
【００３９】
計算機は算出された色相角の＋／−４５度の範囲の色相域を所定領域に決定する。すなわち、
θｒ−４５deg≦θ＜θｒ＋４５deg    式（６）
を満たす色相域が所定領域とされる。
【００４０】
図６はＬ*ａ*ｂ*色空間に変換された注目格子点、すなわち、均等色彩値を、ａ*ｂ*平面にて示している。図６において１点鎖線で示されている領域は注目格子点（均等色彩値）Ｒについての所定領域ＲＡであり、破線で示されている領域は注目格子点（均等色彩値）Ｙについての所定領域ＹＡである。図６中、Ｃiiは所定領域ＲＡに含まれる色相のカラーパッチＣｉを示し、Ｃioは所定領域ＲＡ外の色相のカラーパッチＣｉを示している。
【００４１】
なお、８個の格子点に対して９０度の色相角にて所定領域が決定されるので、少なくとも一部の格子点の所定領域については、隣接する格子点の所定領域と重複する領域ＤＡが存在する。
【００４２】
計算機は、図６に示す、式（６）を満たす色相を備えるカラーパッチＣiiに対応するＲＧＢCCD色彩値とＸＹＺ色彩値の組合せを用いて、個別変換マトリクスＰｒのマトリクス係数を算出する（ステップＳ１１２）。具体的には、例えば、下記の式（７）を用いて最小二乗法によって、注目格子点（均等色彩値）近傍に存在する色彩値（ＲＧＢCCD色彩値とＸＹＺ色彩値）を用いて、個別変換マトリクスＰｒの係数を求める。
【００４３】
【数３】
2006222783.tif 000005
【００４４】
計算機は算出した個別変換マトリクスＰｒを式（７）に適用して、注目格子点ＲCCD（２５５，０，０）に対応する、個別中間色彩値ＲLUTの値を算出する（ステップＳ１１４）。ここで、個別中間色彩値とは、均等色彩値を中心とする所定領域の色彩値を用いて算出された個別変換マトリクスＰｒを用いることによって、全体変換マトリクスＭｇを用いて算出された中間色彩値よりも、人間の分光感度特性に対してより線形的な色彩値を意味する。すなわち、全ての注目格子点および中間色彩値を考慮することなく、注目格子点（均等色彩値）近傍の所定領域に含まれる近傍色彩値のみを用いて各注目格子点（各均等色彩値）毎に個別のマトリクス係数を算出することで、局所的な特性を反映したマトリクス係数を得ることができる。
【００４５】
なお、注目格子点ＷCCD（０，０，０）およびＫCCD（２５５，２５５，２５５）に対応する個別中間色彩値ＷLUTおよびＫLUTは、式（１）にそれぞれＷCCD（０，０，０）およびＫCCD（２５５，２５５，２５５）を代入することで予め算出される。
【００４６】
計算機はＷおよびＫを除く６個全ての注目格子点に対する個別変換マトリクス係数の取得が完了するまて上記ステップＳ１０６〜Ｓ１１４を繰り返し実行する（ステップＳ１１６：Ｎｏ）。計算機は、６個全ての注目格子点に対する個別変換マトリクス係数の取得が完了すると（ステップＳ１１６：Ｙｅｓ）、所定の変換マトリクスを用いて個別中間色彩値を目標色彩値に変換する（ステップＳ１１８）。具体的には、例えば、以下の式（８）および変換マトリクスＰｔを用いて色変換処理が実行される。
【００４７】
【数４】
2006222783.tif 000006
【００４８】
すなわち、図８に示すように、目標色空間への変換マトリクスＭTargetを用いて、８個の格子点に対する色変換処理が実行される。ここで用いられる変換マトリクスＭTargetは、変換先の色空間に依存するＸＹＺ−ＲＧＢTarget色変換を実現するためのマトリクスである。このとき求められた目標色彩値（ＲTarget、ＧTarget、ＢTarget、ＣTarget、ＭTarget、ＹTarget、ＫTarget、ＷTarget）と個別中間色彩値の色彩値（ＲLUT、ＧLUT、ＢLUT、ＣLUT、ＭLUT、ＹLUT、ＫLUT、ＷLUT）との対応関係は図９のテーブルに示すとおりとなる。
【００４９】
計算機は、各注目格子点の色彩値（ＲCCD、ＧCCD、ＢCCD、ＣCCD、ＭCCD、ＹCCD、ＫCCD、ＷCCD）と対応する目標色彩値（ＲTarget、ＧTarget、ＢTarget、ＣTarget、ＭTarget、ＹTarget、ＫTarget、ＷTarget）とを対応付けて、図１０に示す色変換テーブルを生成し（ステップＳ１２０）、本処理ルーチンを終了する。この結果、ＣＣＤの特性を有するＲＧＢ色空間から所望のＲＧＢ色空間への色変換テーブルが完成する。
【００５０】
以上説明したように本実施例に係る色変換テーブルの作成方法によれば、カラーフィルターを介して色信号を取得する光電変換素子によって得られたＲＧＢCCD色彩値と測色により得られた測色色彩値とを用いて色変換テーブルを作成する際に、注目格子点（均等色彩値）を中心とする所定領域に存在する色彩値を用いて原色色空間から中間色空間への個別色変換マトリクス係数を算出する。すなわち、注目格子点近傍の所定領域内に含まれる色彩値を用いることによって、注目格子点の色彩値に近い値を有する近傍の色彩値のみが考慮されるので、注目格子点が有する色特性に特化された個別変換マトリクスのマトリクス係数を算出することが可能となる。したがって、原色色空間（ＣＣＤの特性を示すＲＧＢ色空間）に含まれる全ての色彩値を考慮して作成される単一の全体色変換マトリクスを用いる場合と比較して、各注目格子点についての中間色空間（人間の分光感度特性を示すＸＹＺ色空間）への色変換精度を向上させることができる。なお、注目格子点近傍の所定領域として注目格子点を中心とする所定領域とすれば更に色変換精度を向上させることができる。
【００５１】
また、各注目格子点について得られた複数の個別変換マトリクスを用いて原色色空間から中間色空間への色変換テーブルが作成されるので、原色色空間から目標とする色空間への色変換精度の高い色変換テーブルを作成することができる。したがって、こうして得られた色変換テーブルを用いれば、光電変換素子によって得られた画像データを、人間の分光感度特性に対して線形的な画像データへと変換することができるので、撮影時において肉眼によって認識された撮影対象物の色彩とＤＳＣ２０を用いた撮像によって得られた画像データにおける撮影対象物の色彩との相違を低減または解消することができる。
【００５２】
さらに、所定領域は、少なくとも一部の所定領域において、隣接する所定領域と重複しているので、各注目格子点間における色彩値のジャンプを低減または解消することができる。すなわち、所定領域が重複する隣接注目格子点においては、重複する色彩値を用いて各個別変換マトリクス係数が算出されるので、注目格子点に特化することに起因する隣接格子点間における色彩値のジャンプを軽減または解消することができる。
【００５３】
Ｃ．画像データ生成装置：
上記計算機は、画像データ生成装置、例えば、ＤＳＣ２０、スキャナとして実現され得る。以下、ＤＳＣ２０を例にとって図１１および図１２を参照して本発明に係る画像データ生成装置について説明する。図１１は本実施例に係るＤＳＣの内部回路構成を模式的に示す機能ブロック図である。図１２はＤＳＣの色変換テーブル作成部に含まれる各種モジュールを示す説明図である。
【００５４】
ＤＳＣ２０は、光電変換素子２１、Ａ／Ｄ変換部２２、色変換部２３、画像処理部２４、入出力（Ｉ／Ｏ）インターフェース２５、制御部２６および色変換テーブル作成部２７を備えている。これら各機能部はそれぞれバス接続されている。なお、各機能部には、中央処理装置（ＣＰＵ）が備えられており、更に、必要に応じて記憶装置が備えられている。
【００５５】
光電変換素子２１は、例えば、ＣＣＤ、ＣＭＯＳであり、図示しないレンズを介して入射された光学的情報を所定の色成分、例えば、（Ｒ、Ｇ、Ｂ）、（Ｃ、Ｍ、Ｙ）に分けるためのカラーフィルタ２１１を備えている。カラーフィルタ２１１を介して光電変換素子２１に入力された光学的情報は、電気的なアナログ画像信号に変換されて出力される。
【００５６】
光電変換素子２１から出力されたアナログ画像信号は、Ａ／Ｄ変換部２２においてディジタル化される。このときディジタル化された画像信号は、光電変換素子２１から出力された生のＲＧＢデータ、すなわち、ＲＡＷデータである。
【００５７】
色変換部２３は、得られたＲＡＷデータを所定の色空間、例えば、ｓＲＧＢ、AdobeＲＧＢといった色空間のＲＧＢデータへと変換する。すなわち、後に画像処理装置において実行される画像処理を考慮して、一般的に用いられる色空間の画像データへと変換される。色変換部２３は、上述の作成方法によって生成された色変換テーブルを有しており、この色変換テーブルを用いて画像データに対する色変換処理を実行する。
【００５８】
色変換テーブルは８つの格子点情報しか有していないので、例えば、画像データの各成分が２５６階調で表されている場合には、格子点情報が不足する。かかる場合には、各格子点間における色彩値は、補間演算によって近傍の格子点情報を用いて体積比によって算出される、
【００５９】
画像処理部２４は、色変換部２３によって色変換された画像データに対して、例えば、画素補間、ホワイトバランスの処理を実行する。画素補間処理は、光電変換素子２１の素子欠陥によって画像信号を得ることができなかった素子が存在する場合に、周りの素子によって得られた素子データを用いて、素子欠陥によって得られなかった画素データを生成する処理である。
【００６０】
ホワイトバランスは、人間の視覚が最も敏感に識別可能な画像データのグレーバランスを整える処理であり、撮影時における光源（ホワイトバランス）が指定されている場合には、指定された光源が白色となるように画像データのカラーバランスを調整する。一方、撮影時における光源が指定されていない場合、例えば、オートホワイトバランスに設定されている場合には、画像データの平均値がグレーまたは白となるようにカラーバランスが調整される。カラーバランスの調整は、例えば、周知のトーンカーブをＲ、Ｇ、Ｂの各成分について調整することによって実現される。
【００６１】
画像処理部２４は、ホワイトバランス、画素補間処理が施された画像データに対してガンマ補正を行い、画像データのガンマ特性を線形化する。画像処理部２４は、線形化された画像データをＹＣｂＣｒ色空間のデータへと変換し、圧縮処理を行ってＪｐｅｇフォーマットに準拠するＪｐｅｇ画像データとする。画像処理部２４は、生成されたＪｐｅｇ画像データを一旦、内部メモリ２６に格納する。内部メモリ２６は、格納された画像データを、順次、図示しない記録媒体に格納する。
【００６２】
入出力インターフェース２５は、例えば、記録媒体に格納されている画像データを外部の画像処理装置、例えば、プリンタ、パーソナルコンピュータへと送信する。
【００６３】
色変換テーブル作成部２７は、図４を参照して説明した色変換テーブル作成処理を実行するための機能部である。色変換テーブル作成部２７は、ＤＳＣ２０において、色変換テーブルを動的に作成する場合に備えられる機能部である。
【００６４】
色変換テーブル作成部２７は、入力または指定された注目格子点に対応する中間色彩値を算出するための中間色彩値算出モジュールＭ１、注目格子点（均等色彩値）を中心とする所定領域を選択するための選択モジュールＭ２、カラーパッチＣｉを予め撮像することによって、あるいは、動的に撮像することによって得られる原色色彩値（ＲＧＢCCD色彩値）を取得するための原色色彩値取得モジュールＭ３、カラーパッチＣｉを測色することによって得られる中間色彩値（測色色彩値）を取得するための中間色彩値取得モジュールＭ４を備えている。色変換テーブル作成部２７はさらに、各注目格子点（各均等色彩値）毎に選択された所定領域に含まれる色彩値を用いて、各注目格子点（均等色彩値）毎に最適な原色色空間から中間色空間への色変換マトリクスを算出するための個別変換マトリクス算出モジュールＭ５、個別変換マトリクスを用いて各注目格子点に対応する個別中間色彩値を算出するための個別中間色彩値算出モジュールＭ６、算出された個別中間色彩値を目標とする色空間の目標色彩値への変換し、注目格子点と目標色彩値とを対応付けることによって色変換テーブルを作成する色変換テーブル作成モジュールＭ７を備えている。
【００６５】
なお、これら各モジュールによって実行される処理は、図４を参照して説明した色変換テーブル作成処理と同様であるから、詳細な説明は省略する。
【００６６】
以上説明したように、本実施例に係る画像データ生成装置によれば、人間の分光感度特性に対して線形な特性を有する色変換テーブルを用いて色変換処理を実行することができるので、撮影時に肉眼によって確認された被写体の色彩と、撮像によって得られた画像データによって表される画像における被写体の色彩との差を低減または解消することができる。
【００６７】
さらに、画像データ生成装置が、色変換テーブル作成部２７を備える場合には、画像データ生成装置によってカラーパッチＣｉの色彩値を直接、取得することが可能となり、上記の特性を有する色変換テーブルをより簡便に作成することができる。
【００６８】
Ｄ．その他の実施例：
（１）上記実施例では、色相を用いて所定領域を決定する場合について説明したが、色相に加えて、明度、彩度を考慮して所定領域をさらに細分化しても良い。かかる場合には、より人間の分光感度特性に対してマッチング精度の高い色変換テーブルを作成することができる。また、色相に代えて、明度、彩度のみを考慮して所定領域が決定されても良い。
【００６９】
（２）上記実施例では、８つの格子点を考慮しているが、さらに多くの格子点、例えば、３×３×３の格子点、あるいは、より少ない格子点を考慮しても良い。格子点の数が増えれば変換精度をより向上させることが可能となり、格子点の数が減れば演算速度を向上させることができる。
【００７０】
（３）上記実施例では、原色色空間（ＲＧＢCCD色空間）から中間色空間（ＸＹＺ色空間）への変換マトリクスとして３×３のマトリクスを用いてるが、より高次なマトリクス係数を備える変換マトリクス、例えば、３×２４のマトリクスを用いても良い。
【００７１】
（４）上記実施例では、原色色空間（ＲＧＢCCD色空間）から中間色空間（ＸＹＺ色空間）への全体変換マトリクス係数を、ＤＳＣ２０によって得られた実測値および分光測色器３０によって得られた測色値を用いて求めているが、マトリクスが既知の場合には、既知のＲＧＢ−ＸＹＺマトリクスを用いても良い。また、マトリクスが詳細に特定できない場合であっても、標準的なＲＧＢ−ＸＹＺマトリクスを用いても良い。このような場合であっても、本実施例では、注目格子点を中心とする所定の領域に存在する色彩値を用いて個別変換マトリクス係数を求めるので、変換精度の高い色変換テーブルを作成することができる。
【００７２】
（５）上記画像データ生成装置としてのＤＳＣ２０は、各機能部をハードウェア回路として備えているが、１つの制御回路を備えて各機能部によって実現される機能をソフトウェアを実行することによって実現しても良い。この場合、制御回路は中央演算装置（ＣＰＵ）、メモリ、入出力インターフェースを備え、メモリには各機能部によって実現される機能を実現するためのプログラム、モジュールが格納されている。
【００７３】
（６）上記実施例では、画像データ生成装置としてＤＳＣ２０およびスキャナを例示しているが、この他にも、カラーフィルタと共に光電変換素子を用いることによって画像データを得る画像データ生成装置であれば同様の効果を得ることができる。すなわち、人間の分光感度特性に対して非線形な特性を示す画像データを生成する画像データ生成装置であれば、上記実施例の色変換テーブルの作成処理に従って色変換テーブルを作成することによって、精度の高い色変換処理を実行することが可能となり、撮影時に認識されていた色彩と同様の色彩を有する画像データを得ることができる。
【００７４】
以上、いくつかの実施例に基づき本発明に係る色変換テーブルの作成方法、作成プログラム、画像データ生成装置を説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれることはもちろんである。
【図面の簡単な説明】
【００７５】
【図１】本実施例において用いられ得るカラーチャートを模式的に示す説明図である。
【図２】カラーチャートの各カラーパッチからＲＧＢCCD色彩値および測色色彩値を取得する手法の一例を示す模式図である。
【図３】各カラーパッチについて取得されたＲＧＢCCD色彩値および測色色彩値との対応関係を示すテーブルの一例を示す説明図である。
【図４】本実施例に係る色変換テーブルの作成処理において実行される処理ルーチンを示すフローチャートである。
【図５】本実施例における、ＲＧＢCCD色空間の各注目格子点からＸＹＺ色空間の各中間色彩値および個別中間色彩値への色変換処理を模式的に示す説明図である。
【図６】Ｌａ*ｂ*色空間における均等色彩値の色相の分布を示す説明図である。
【図７】ＲＧＢCCD色空間の各注目格子点の色彩値とＸＹＺ色空間の各個別中間色彩値とを対応付けるテーブルを示す説明図である。
【図８】本実施例における、ＸＹＺ色空間の各個別中間色彩値からＲＧＢTarget色空間の各目標色彩値への色変換処理を模式的に示す説明図である。
【図９】ＸＹＺ色空間の各個別中間色彩値の色彩値とＲＧＢTarget色空間の各目標色彩値とを対応付けるテーブルを示す説明図である。
【図１０】ＲＧＢCCD色空間の各注目格子点の色彩値とＲＧＢTarget色空間の各目標色彩値とを対応付けるテーブルを示す説明図である。
【図１１】本実施例に係るＤＳＣの内部回路構成を模式的に示す機能ブロック図である。
【図１２】ＤＳＣの色変換テーブル作成部に含まれる各種モジュールを示す説明図である。
【符号の説明】
【００７６】
１０…カラーチャート
２０…ディジタルスチルカメラ
２１…ＣＣＤ
２２…Ａ／Ｄ変換部
２３…色変換部
２４…画像処理部
２５…Ｉ／Ｏインターフェース
２６…メモリ
２７…色変換テーブル作成部
３０…分光測色器
Ｃｉ…カラーパッチ
Ｍ１…中間色彩値算出モジュール
Ｍ２…選択モジュール
Ｍ３…原色色彩値取得モジュール
Ｍ４…中間色彩値取得モジュール
Ｍ５…個別変換マトリクス算出モジュール
Ｍ６…個別中間色彩値算出モジュール
Ｍ７…色変換テーブル作成モジュール
【図１】
2006222783.tif 000007
【図２】
2006222783.tif 000008
【図３】
2006222783.tif 000009
【図４】
2006222783.tif 000010
【図５】
2006222783.tif 000011
【図６】
2006222783.tif 000012
【図７】
2006222783.tif 000013
【図８】
2006222783.tif 000014
【図９】
2006222783.tif 000015
【図１０】
2006222783.tif 000016
【図１１】
2006222783.tif 000017
【図１２】
2006222783.tif 000018